(57)【特許請求の範囲】
【請求項１】
モータにより駆動される回転軸の回転により施療子にマッサージ運動をさせる駆動機構を備えたマッサージ機において、
前記モータが収納された本体ケースから前記回転軸を突出させると共に、突出した前記回転軸に取り付けた傾斜カムに前記施療子を回転可能に装着し、
中空の支持枠内に前記本体ケースから突出した前記回転軸を収納すると共に、前記支持枠を前記回転軸の廻りに回転可能に支持し、また、前記支持枠に形成した開口から前記支持枠の外部に前記施療子を突き出し、かつ、前記施療子を前記支持枠に前記支持枠と共に前記回転軸の廻りに一体回転可能に係合し、更に、前記支持枠と前記本体ケースとの相対的回転を規制・解除可能な角度調整機構を設けたことを特徴とするマッサージ機。
【請求項２】
前記駆動機構は、前記回転軸に取り付けた一対の前記傾斜カムの回転により前記施療子に揉みマッサージ運動をさせることを特徴とする請求項１記載のマッサージ機。
【請求項３】
前記本体ケースに前記回転軸と直交する軸の廻りに回転可能に補助握りを取り付けると共に、該回転を規制・解除可能なロック機構を設けたことを特徴とする請求項１又は請求項２記載のマッサージ機。
【発明の詳細な説明】
【０００１】
【発明の属する技術分野】
本発明は、モータにより駆動される回転軸の回転により施療子にマッサージ運動をさせるマッサージ機に関する。
【０００２】
【従来の技術】
従来より、特開平５−３９０１号公報にあるように、モータにより回転される回転軸にカムを取り付け、カムの回転により施療子に揉みマッサージ運動をさせるマッサージ機が知られている。
【０００３】
【発明が解決しようとする課題】
しかしながら、こうした従来のものでは、マッサージ機を床に置いたり、壁に立てかけたりして使用することはできるが、マッサージ機を手に持って、患部に施療子を当ててマッサージを受けるには、マッサージ機が大きく使用が困難であり、１台のマッサージ機により色々な使い方ができないという問題があった。
【０００４】
本発明の課題は、色々な使い方ができるマッサージ機を提供することにある。
【０００５】
【課題を解決するための手段】
かかる課題を達成すべく、本発明は課題を解決するため次の手段を取った。即ち、
モータにより駆動される回転軸の回転により施療子にマッサージ運動をさせる駆動機構を備えたマッサージ機において、
前記モータが収納された本体ケースから前記回転軸を突出させると共に、突出した前記回転軸に取り付けた傾斜カムに前記施療子を回転可能に装着し、
中空の支持枠内に前記本体ケースから突出した前記回転軸を収納すると共に、前記支持枠を前記回転軸の廻りに回転可能に支持し、また、前記支持枠に形成した開口から前記支持枠の外部に前記施療子を突き出し、かつ、前記施療子を前記支持枠に前記支持枠と共に前記回転軸の廻りに一体回転可能に係合し、更に、前記支持枠と前記本体ケースとの相対的回転を規制・解除可能な角度調整機構を設けたことを特徴とするマッサージ機がそれである。
【０００６】
また、前記駆動機構は、前記回転軸に取り付けた一対の前記傾斜カムの回転により前記施療子に揉みマッサージ運動をさせるものでもよい。あるいは、前記本体ケースに前記回転軸と直交する軸の廻りに回転可能に補助握りを取り付けると共に、該回転を規制・解除可能なロック機構を設けてもよい。
【０００７】
【発明の実施の形態】
以下本発明の実施の形態を図面に基づいて詳細に説明する。
図１に示すように、１は本体ケースで、本体ケース１内には電動モータ２が収納されている。本体ケース１はその外周を手で握ることができる程度の大きさに形成されると共に、長細く形成されており、電動モータ２はその長手方向と平行に収納されている。また、本体ケース１内にはギヤケース４が形成されており、電動モータ２の回転軸に取り付けられたウォームギヤ６がギヤケース４内に挿入されている。
【０００８】
ウォームギヤ６には、ギヤケース４に回転可能に支持された支持軸８と一体のホイールギヤ１０が噛合されており、支持軸８には小歯車１２が一体に取り付けられている。小歯車１２にはギヤケース４に回転可能に支持された回転軸１４に一体に取り付けられた大歯車１６が噛合されている。
【０００９】
回転軸１４は、本体ケース１に形成された貫通孔１８から外部に突出されており、本体ケース１から突出した回転軸１４には、一対の傾斜カム２０，２２が所定間隔で取り付けられている。一対の傾斜カム２０，２２にはそれぞれ施療子２４，２６が係合されている。本体ケース１から突出した回転軸１４は、中空の支持枠２８内に収納されており、また、支持枠２８に形成された一対の軸受け部３０，３２に回転可能に挿入されている。
【００１０】
一方の傾斜カム２０は、図２に示すように、回転軸１４と一体的に回転する第１カム部３４を備え、第１カム部３４は回転軸１４と同軸上に軸部３４ａを備えている。また、第１カム部３４には回転軸１４の軸方向に対して傾斜した傾斜面３４ｂが形成されており、傾斜面３４ｂと平行な傾斜面３６ａを有する第２カム部３６が第１カム部３４に一体的に回転するように嵌着されている。軸部３４ａには施療子２４が回転可能に装着されており、また、施療子２４は両傾斜面３４ｂ，３６ａにより挟持されている。
【００１１】
施療子２４は、支持枠２８に形成された開口３８から支持枠２８の外部に突き出されている。また、施療子２４の一端は支持枠２８に形成された回転軸１４の軸方向と平行な溝４０に挿入されて、支持枠２８と施療子２４とが回転軸１４の廻りに一体回転できるように係合されている。
【００１２】
また、他方の傾斜カム２２及び施療子２６も同様な構成であるので詳細な説明を省略する。尚、本実施形態では、電動モータ２、ウォームギヤ６、支持軸８、ホイールギヤ１０、小歯車１２、回転軸１４、大歯車１６、一対の傾斜カム２０，２２により駆動機構４１を構成している。
【００１３】
支持枠２８は、図１、図３に示すように、本体ケース１の貫通孔１８に回転可能に挿入されると共に、本体ケース１内に挿入された円板部２８ａを備え、円板部２８ａは貫通孔１８よりも大径に形成されて、支持枠２８が本体ケース１から抜け出ないように構成されている。
【００１４】
円板部２８ａには、回転軸１４の軸方向と直交する方向に、かつ放射状に複数の溝２８ｂが等間隔で形成されている。本体ケース１には、この溝２８ｂに向かって摺動して先端が溝２８ｂに入り込む規制部材４２が設けられている。規制部材４２は弦巻ばね４４により先端が溝２８ｂに入り込む方向に付勢されている。
【００１５】
規制部材４２が弦巻ばね４４の付勢力により、溝２８ｂに入り込んだ状態では、支持枠２８と本体ケース１との相対的な回転が規制される。また、弦巻ばね４４の付勢力に抗して規制部材４２を摺動させて、溝２８ｂから規制部材４２の先端を引き抜くと、支持枠２８と本体ケース１との相対的な回転の規制が解除されるように構成されている。本実施形態では、これらにより角度調整機構４６が形成されている。
【００１６】
一方、本体ケース１には、補助握り５０が取り付けられており、図４、図５に示すように、本体ケース１には、補助握り５０を挿入できると共に補助握り５０を揺動できる大きさの開口部５２が形成されている。補助握り５０の先端には、長手方向と直交する大径孔５４が形成されており、大径孔５４に連接して貫通孔５６が形成されている。大径孔５４と貫通孔５６との段差には複数の歯５８が形成されており、大径孔５４に挿入された連結部材６０に形成された歯６２が歯５８に着脱可能に歯合されている。
【００１７】
連結部材６０には、その軸方向にスプライン孔６４が貫通形成されており、スプライン孔６４には、本体ケース１に立設されたスプライン軸６６が挿入されている。また、連結部材６０はコイルスプリング６８により両歯５８，６２が歯合するように付勢されている。
【００１８】
スプライン軸６６の周囲には、複数の円弧状の貫通孔６８が穿設されており、貫通孔６８には、それぞれ解除部材７０の脚部７２が挿入されている。脚部７２は貫通孔６８を貫通して連結部材６０に接触するように形成されており、また、脚部７２の先端にはかえし７２ａが形成されて、貫通孔６８からの抜け止めが図られている。尚、本実施形態では、連結部材６０、スプライン軸６６、コイルスプリング６８、解除部材７０によりロック機構７４が構成されている。
【００１９】
次に、前述した本実施形態のマッサージ機の作動について説明する。
まず、電動モータ２が駆動されると、ウォームギヤ６、ホイールギヤ１０、支持軸８、小歯車１２、大歯車１６を介して回転軸１４が回転駆動される。回転軸１４の回転により、一対の傾斜カム２０，２２が回転する。両施療子２４，２６は溝４０により回転軸１４の廻りの回転が規制されているので、両傾斜面３４ｂ，３６ａの回転軸１４廻りの回転により、両施療子２４，２６は、図１、図２に示すように、揉みマッサージ運動をする。この施療子２４，２６を患部に当てて揉みマッサージを受けることができる。
【００２０】
一方、規制部材４２を指先で押さえて、弦巻ばね４４の付勢力に抗して規制部材４２を摺動させる。これにより、支持枠２８の溝２８ｂから規制部材４２が外れて、支持枠２８と本体ケース１との相対的な回転規制が解除される。支持枠２８を回転軸１４の廻りに回転させて、施療子２４，２６の向きを患部に応じて変更することができる。
【００２１】
例えば、図６（イ）に示すように、首筋に施療子２４，２６を当てたい場合には、施療子２４，２６の向きを本体ケース１と直交するようにすると、施療子２４，２６を当てやすくなる。また、図６（ロ）に示すように、腰に当てるときには、施療子２４，２６の向きを本体ケース１と平行になるようにすると、腰に当てやすくなる。
【００２２】
更に、解除部材７０を指でコイルスプリング６８の付勢力に抗して押すと、脚部７２を介して連結部材６０がスプライン軸６６に沿って摺動する。そして、一方の歯６２が他方の歯５８から外れて、補助握り５０を揺動できるようになる。例えば、図１に示すように、補助握り５０を回転軸１４と平行となるように揺動して、解除部材７０を指で押しているのを解放する。これにより、解除部材７０はコイルスプリング６８の付勢力により、連結部材６０を介して押し出される。その際、連結部材６０はスプライン軸６６に沿って摺動し、両歯５８，６２が歯合する。よって、連結部材６０の両歯５８，６２及びスプライン軸６６とスプライン孔６４との噛み合いにより、補助握り５０と本体ケース１との相対的な回転が規制される。図６（ハ）に示すように、この状態で床において、施療子２４，２６を首筋に当て、仰向けに寝た状態で揉みマッサージを受けることもできる。
【００２３】
以上本発明はこの様な実施形態に何等限定されるものではなく、本発明の要旨を逸脱しない範囲において種々なる態様で実施し得る。
【００２４】
【発明の効果】
以上詳述したように本発明のマッサージ機は、支持枠を回転軸の廻りに回転させて、施療子の向きを変更できるので、首筋や腰等の患部に応じて施療子の向きを変更できるので、患部に応じた色々な使い方ができるという効果を奏する。また、補助握りを設けることにより、安定した状態で床等において使用することもできるので、更に色々な使い方ができる。
【図面の簡単な説明】
【図１】本発明の一実施形態としてのマッサージ機の断面図である。
【図２】本実施形態の傾斜カムの拡大断面図である。
【図３】図１のＡＡ拡大断面図である。
【図４】本実施形態のロック機構の拡大断面図である。
【図５】本実施形態のロック機構の分解斜視図である。
【図６】本実施形態のマッサージ機の色々な使い方の説明図である。
【符号の説明】
１…本体ケース        ２…電動モータ
１４…回転軸          ２０，２２…傾斜カム
２４，２６…施療子    ２８…支持枠
４１…駆動機構        ４２…規制部材
４６…角度調整機構    ５０…補助握り
７０…解除部材        ７４…ロック機構
【図１】
0003940468.tif 000002
【図２】
0003940468.tif 000003
【図３】
0003940468.tif 000004
【図４】
0003940468.tif 000005
【図５】
0003940468.tif 000006
【図６】
0003940468.tif 000007